(57)【特許請求の範囲】
【請求項１】
複数枚の磁気ディスクを磁気ディスク間にスペーサーを挿入してスピンドルモーターの回転ハブに装着し、回転ハブの上端部に円盤状のクランパーを取り付けて、クランバーの弾性変形により磁気ディスクの内周部を押圧して磁気ディスクとスペーサーを回転ハブ底部の大径部分とクランパーとの間に保持する構成の磁気ディスク装置の前記磁気ディスク間に挿入するスペーサーであって、
フェライト系ステンレス鋼の圧延板材を打ち抜き加工によりリング状に加工して制作され、表面硬度のバラツキが平均値を中心として上下４％以内で、結晶粒度が、１ｍｍ2当たりの平均結晶粒数ｍを用いてｍ＝８×２Gの式で計算されるＧの値の５．０〜９．０に相当し、残留圧縮応力が８０ＭＰａ以下であることを特徴とする磁気ディスク装置に用いるスペーサー。
【請求項２】
複数枚の磁気ディスクを磁気ディスク間にスペーサーを挿入してスピンドルモーターの回転ハブに装着し、回転ハブの上端部に円盤状のクランパーを取り付けて、クランバーの弾性変形により磁気ディスクの内周部を押圧して磁気ディスクとスペーサーを回転ハブ底部の大径部分とクランパーとの間に保持する構成の磁気ディスク装置であって、
前記スペーサーは、フェライト系ステンレス鋼の圧延板材を打ち抜き加工によりリング状に加工して制作され、表面硬度のバラツキが平均値を中心として上下４％以内で、結晶粒度が、１ｍｍ2当たりの平均結晶粒数ｍを用いてｍ＝８×２Gの式で計算されるＧの値の５．０〜９．０に相当し、残留圧縮応力が８０ＭＰａ以下であることを特徴とする磁気ディスク装置。
【発明の詳細な説明】
【技術分野】
【０００１】
本発明は、情報の読み取り、書き込みに用いられる磁気ディスク装置に関し、特に、複数枚の磁気ディスクを有する磁気ディスク装置の磁気ディスク間に挿入するスペーサーおよびそのスペーサーを用いた磁気ディスク装置に関するものである。
【背景技術】
【０００２】
情報の読み取り、書き込みに用いられる磁気ディスク装置（ハードディスク）は、磁気ディスク装置の機構部分を固定し大気中の粉塵から保護するための密閉ケース状のシュラウド内でスピンドルモーターにより磁気ディスクを回転させ、先端に磁気ヘッドを装着し板バネよりなるフレクシャにより磁気ディスク表面に軽く押し付けられたスライダーを、磁気ディスクの回転によって磁気ディスク表面に生じる圧力で磁気ディスク表面から浮上させつつ、ボイスコイルモーターによりスイングアームを左右に回転させて磁気ヘッドを磁気ディスク上の任意のトラックに移動させ、情報の読み取り、書き込みを行うようにしたものであって、近年ＯＡ機器の小型化に伴い、小型、薄型化、大容量化が進んでいる。そして、特に、大容量の磁気ディスク装置は、磁気ディスクを複数枚持つものが普通で、その場合、複数枚の磁気ディスクをそれら磁気ディスク間にスペーサーを挿入してスピンドルモーターの回転ハブに装着し、回転ハブの上端部に円盤状のクランパーをネジで締結して、クランバーの弾性変形により磁気ディスクの内周部を押圧して磁気ディスクとスペーサーを回転ハブ底部の大径部分とクランパーとの間に保持するようになっている。
【０００３】
しかし、磁気ディスク装置の小型薄型・大容量化により磁気ディスク面上のデータ領域の拡大や記録密度の増加がますます必要になってきた。そして、磁気ディスク装置の小型薄型・大容量化が進むに従い、また磁気ディスク面上のデータ領域の拡大や記録密度の増加が進むに従い、データの記録・再生が不正確となったり、磁気ヘッドの目的トラックへの位置決めやデータの書き込み、読み取りが正確に行われなくなったり、あるいは浮上量の低下から磁気ディスクとのコンタクト等の故障が発生するといった問題が発生するようになった。その原因は、磁気ディスクの円周方向での不均一な力の加わりにより、磁気ディスクに歪やうねりが発生すること、そして、この歪やうねりが原因となって瞬間的に磁気ヘッドと磁気ディスクとの浮上隙間の変動が発生することであると考えられる。図４は従来の磁気ディスク装置における磁気ディスクの歪の状態を示している。図４において、３は磁気ディスク、１０は回転ハブ、１１はクランパー、１２はクランパー１１と回転ハブ１０を締結するネジである。従来の磁気ディスク装置における磁気ディスクの内周部には、クランパー１１がネジ１２の軸力集中による不均一な弾性変形を生じることに起因して、図４に細線で示すような歪やうねりが発生する。
【０００４】
そこで、磁気ディスクに歪やうねりが発生する原因が、磁気ディスクとスペーサーを回転ハブ底部の大径部分との間にクランバーの弾性変形により押圧して保持するようクランパーを締結するネジの軸力集中により、磁気ディスクに不均一な弾性変形を生じてしまうことにあるとして、回転ハブの磁気ディスク並びにスペーサーを装着する円筒部の上端とハブ最上部の円筒状突出部に設けた突起部との間にクランパーの内径部を圧入することで、ネジを用いずに磁気ディスクとスペーサーを押圧保持でき、そのため、磁気ディスクを押圧するクランバーとハブ上面とをネジ締結する場合に発生する磁気ディスク内周部の歪、うねり等の変形を防止することができ、磁気ディスク装置の動作中に磁気ディスク内周部で磁気ヘッドの浮上を変動のない安定な状態とし、磁気ヘッド出力の均一化による位置決め精度の向上、データの書き込み、読み取り精度の向上、磁気ディスク装置の信頼性の向上が可能となるとする提案がなされている（例えば、特許文献１参照。）。
【先行技術文献】
【特許文献】
【０００５】
【特許文献１】特開平６−６０５１３号公報
【発明の概要】
【発明が解決しようとする課題】
【０００６】
しかし、近年ますます磁気ディスク装置の小型薄型・大容量化、さらには高速化（ディスクの回転数アップ）が加速し、磁気ディスク面上のデータ領域の拡大や記録密度の増加が進む中、上記提案のように回転ハブにクランパーを圧入することでネジを用いずに磁気ディスクとスペーサーを押圧保持するだけでは、磁気ディスクの歪、うねり等の変形を十分に防止することができないことが解ってきた。
【０００７】
従来のスペーサーは、ステンレス等の引き抜き棒鋼や熱間圧延棒鋼をピーリングした棒鋼をそのまま用いたもので、図５に示すように、例えば冷間引き抜き加工により製造された棒鋼Ａを切削加工し中穴を空けてパイプ状の材料Ｂとし、これを輪切りにしてリングＣを作り、これをそのままスペーサーとしているため、歪がある上、外周部分の表面硬度が高く、内側（内周部分）にいくに従って硬度が低くなる傾向があって、表面硬度のバラツキが非常に大きく、さらに結晶粒度や残留歪みのバラツキも非常に大きい。そのため、複数枚の磁気ディスクとスペーサーをスピンドルモーターの回転ハブに装着しクランパーをネジで締結したときに、クランパーの弾性変形による押圧でスペーサーの歪みが大きくなり、それが磁気ディスクの歪、うねり等の変形の要因となっている。また、ネジを使用しないで回転ハブにクランパーを圧入する場合も、クランパーの弾性変形による押圧を受けてやはりスペーサーに歪みが生じ、それが磁気ディスクの歪、うねり等の変形の要因となっている。
【０００８】
丸棒を寸断し穴を空けて製作する従来のスペーサーも、熱処理を施すことで表面硬度のバラツキを小さくし、結晶粒度や残留歪みのバラツキを小さくすることが可能であるが、そのような熱処理を施したのでは製造コストが極めて高いものとなってしまう。
【０００９】
本発明は、複数枚の磁気ディスクをそれら磁気ディスク間にスペーサーを挿入してスピンドルモーターの回転ハブに装着しクランパーで押圧して保持する磁気ディスク装置において、磁気ディスク内周部の歪、うねり等の変形を十分に防止することができ、磁気ディスク装置の小型薄型・大容量化、高速化、磁気ディスク面上のデータ領域の拡大や記録密度の増加に対応できるようにすることを目的とする。
【課題を解決するための手段】
【００１０】
本発明者らは、上記課題を解決するために磁気ディスク装置のあらゆる部材の材質や機能に検討を加えた。その結果、複数の磁気ディスクを回転ハブに装着する際に用いるスペーサーの材質、そしてその機械的、物理的、電気的な特性が、磁気ディスクの歪、うねり等の変形に大きく関係することを突きとめ、本発明をなすに至った。
【００１１】
本発明の磁気ディスク装置に用いるスペーサーは、複数枚の磁気ディスクを磁気ディスク間にスペーサーを挿入してスピンドルモーターの回転ハブに装着し、回転ハブの上端部に円盤状のクランパーを取り付けて、クランバーの弾性変形により磁気ディスクの内周部を押圧して磁気ディスクとスペーサーを回転ハブ底部の大径部分とクランパーとの間に保持する構成の磁気ディスク装置の前記磁気ディスク間に挿入するスペーサーであって、フェライト系ステンレス鋼の圧延板材を打ち抜き加工によりリング状に加工して制作され、表面硬度のバラツキが平均値を中心として上下４％以内であることを特徴とする。
【００１２】
このスペーサーは、フェライト系ステンレス鋼の圧延板材を打ち抜き加工して製作するので、圧延板材の状態で均一な硬度、結晶粒度、残留応力などを所要の精度に作り込んでおくことにより、その後の工程においてもその精度が維持され、表面硬度のバラツキが小さく、結晶粒度や残留歪みのバラツキも小さいものとなる。そして、表面硬度のバラツキが非常に小さいため、複数枚の磁気ディスクとスペーサーをスピンドルモーターの回転ハブに装着しクランパーをネジで締結したときのスペーサーの歪みが小さくなり、磁気ディスクの歪、うねり等の変形を十分に防止することができ、磁気ディスク装置の小型薄型・大容量化が加速し、磁気ディスク面上のデータ領域の拡大や記録密度の増加が進んでも、磁気ディスク装置の動作中に磁気ディスク内周部で磁気ヘッドの浮上を変動のない安定した状態に保持することができて、磁気ヘッド出力の均一化による位置決め精度の向上、データの書き込み、読み取り精度の向上、磁気ディスク装置の信頼性の向上を図ることができる。また、圧延板材を打ち抜き加工して製作するので、精度が向上する上にコストが非常に有利であり、また、加工工程も短縮されるため生産性も向上する。
【００１３】
また、このスペーサーは、結晶粒度が、１ｍｍ2当たりの平均結晶粒数ｍを用いてｍ＝８×２Gの式で計算されるＧの値の５．０〜９．０に相当することを特徴とする。
【００１４】
このスペーサーは、結晶粒度が非常に小さいため、複数枚の磁気ディスクとスペーサーをスピンドルモーターの回転ハブに装着しクランパーをネジで締結したときのスペーサーの歪みが小さくなり、磁気ディスクの歪、うねり等の変形を十分に防止することができ、磁気ディスク装置の小型薄型・大容量化が加速し、磁気ディスク面上のデータ領域の拡大や記録密度の増加が進んでも、磁気ディスク装置の動作中に磁気ディスク内周部で磁気ヘッドの浮上を変動のない安定した状態に保持することができて、磁気ヘッド出力の均一化による位置決め精度の向上、データの書き込み、読み取り精度の向上、磁気ディスク装置の信頼性の向上を図ることができる。また、圧延板材を打ち抜き加工して製作するので、精度が向上する上にコストが非常に有利であり、また、加工工程も短縮されるため生産性も向上する。また、特に、フェライト結晶粒度が微細であるため、熱の発生が少なく、残留磁気が少なく磁気抵抗が少なくて、熱を保ちにくく、そのため、歪が少なくて、高速化（ディスクの回転速度アップ）しても熱により精度が落ちることはなく、熱による故障も大きく減少する。
【００１５】
また、このスペーサーは、残留圧縮応力が８０ＭＰａ以下であることを特徴とする。
【００１６】
このスペーサーは、残留応力が非常に小さいため、複数枚の磁気ディスクとスペーサーをスピンドルモーターの回転ハブに装着しクランパーをネジで締結したときのスペーサーの歪みが小さくなり、磁気ディスクの歪、うねり等の変形を十分に防止することができ、磁気ディスク装置の小型薄型・大容量化が加速し、磁気ディスク面上のデータ領域の拡大や記録密度の増加が進んでも、磁気ディスク装置の動作中に磁気ディスク内周部で磁気ヘッドの浮上を変動のない安定した状態に保持することができて、磁気ヘッド出力の均一化による位置決め精度の向上、データの書き込み、読み取り精度の向上、磁気ディスク装置の信頼性の向上を図ることができる。また、圧延板材を打ち抜き加工して製作するので、精度が向上する上にコストが非常に有利であり、また、加工工程も短縮されるため生産性も向上する。また、特に、残留応力が非常に小さいことにより、歪が少なく、位置決め精度、データの書き込み精度、データの読み取り精度が向上し、故障率も減少し、回転数も上げることが可能である。
【００１７】
本発明の磁気ディスク装置は、複数枚の磁気ディスクを磁気ディスク間にスペーサーを挿入してスピンドルモーターの回転ハブに装着し、回転ハブの上端部に円盤状のクランパーを取り付けて、クランバーの弾性変形により磁気ディスクの内周部を押圧して磁気ディスクとスペーサーを回転ハブ底部の大径部分とクランパーとの間に保持する構成の磁気ディスク装置であって、前記スペーサーは、フェライト系ステンレス鋼の圧延板材を打ち抜き加工によりリング状に加工して制作され、表面硬度のバラツキが平均値を中心として上下４％以内で、結晶粒度が、１ｍｍ2当たりの平均結晶粒数ｍを用いてｍ＝８×２Ｇの式で計算されるＧの値の５．０〜９．０に相当し、残留圧縮応力が８０ＭＰａ以下であることを特徴とする。
【００１８】
この磁気ディスク装置は、スペーサーの表面硬度のバラツキが小さく、結晶粒度や残留歪みのバラツキも小さいもので、そのため、複数枚の磁気ディスクとスペーサーをスピンドルモーターの回転ハブに装着しクランパーをネジで締結したときのスペーサーの歪みが小さくて、磁気ディスクの歪、うねり等の変形を十分に防止することができ、磁気ディスク装置の小型薄型・大容量化が加速し、磁気ディスク面上のデータ領域の拡大や記録密度の増加が進んでも、磁気ディスク装置の動作中に磁気ディスク内周部で磁気ヘッドの浮上を変動のない安定した状態に保持することができて、磁気ヘッド出力の均一化による位置決め精度の向上、データの書き込み、読み取り精度の向上、磁気ディスク装置の信頼性の向上を図ることが可能であり、また、圧延板材を打ち抜き加工してスペーサーを製作するので、スペーサーの加工精度が向上する上にコストが非常に有利になり、また、加工工程も短縮されて生産性が向上する。
【発明の効果】
【００１９】
本発明によれば、磁気ディスクを押圧するクランバーとハブ上面とのネジの締結やクランバーなどの弾性変形から受けた磁気ディスク内周部の歪、うねり等の変形を十分に防止することができ、そのため、磁気ディスク装置の小型薄型・大容量化が加速し、磁気ディスク面上のデータ領域の拡大や記録密度の増加が進んでも、磁気ディスク装置の動作中に磁気ディスク内周部で磁気ヘッドの浮上を変動のない安定した状態に保持することができ、磁気ヘッド出力の均一化による位置決め精度の向上、データの書き込み、読み取り精度の向上、磁気ディスク装置の信頼性の向上を図ることができる。
【図面の簡単な説明】
【００２０】
【図１】本発明の実施形態の一例に係る磁気ディスク装置の断面図である。
【図２】本発明の実施形態の一例に係るスペーサーの製造方法の説明図である。
【図３】スペーサーの硬度測定個所を示す平面図である。
【図４】従来の磁気ディスク装置における磁気ディスクの歪の状態を示す説明図である。
【図５】従来のスペーサーの製造方法の説明図である。
【発明を実施するための形態】
【００２１】
図１は本発明の実施形態の一例に係る磁気ディスク装置（ハードディスク）の構造を示している。この磁気ディスク装置は、磁気ディスク装置の機構部分を固定し大気中の粉塵から保護するための密閉ケース状のシュラウド１内でスピンドルモーター２により磁気ディスク３を回転させ、先端に磁気ヘッド４を装着し板バネよりなるフレクシャ５により磁気ディスク３表面に軽く押し付けられたスライダー６を、磁気ディスク３の回転によって磁気ディスク３表面に生じる気流の圧力で磁気ディスク３表面から浮上させつつ、ボイスコイルモーター７によりスイングアーム８を左右に回転させて磁気ヘッド４を磁気ディスク３上の任意のトラックに移動させ、情報の読み取り、書き込みを行うようにしたものである。
【００２２】
磁気ディスク３は複数枚（図示の例は３枚であるが、これに限定されない。）で、それら複数枚の磁気ディスク３を磁気ディスク３間にスペーサー９を挿入してスピンドルモーター２の回転ハブ１０に装着し、回転ハブ１０の上端部に円盤状のクランパー１１をネジ１２で締結して、クランバー１１の弾性変形により磁気ディスク３の内周部を押圧して磁気ディスク３とスペーサー９を回転ハブ１０底部の大径部分とクランパー１１との間に保持している。
【００２３】
図示の例では磁気ディスク３は３枚、スペーサー９は２枚で、最下段の磁気ディスク３は下面内周部が回転ハブ１０底部の大径部分により支持されるとともに上面内周部が下側のスペーサー９の下面より押圧され、中段の磁気ディスク３は下面内周部が下側のスペーサー９の上面により支持されるとともに上側のスペーサー９の下面により押圧され、最上段の磁気ディスク３は下面内周部が上側のスペーサー９の上面により支持されるとともに上面内周部がクランバー１１により押圧される。
【００２４】
図１において、１３はシュラウド１内に固定されたスピンドルモーター基盤、１４はスピンドルモーター基盤１３により保持されている軸受である。回転ハブ１０はスピンドルモーター２の回転軸と一体化構成され軸受１４を介してスピンドルモーター基盤１３に回転可能に支持されている。また、１５はスピンドルモーター基盤１３に装着した固定子鉄心、１６は固定子鉄心１５に巻回した固定子巻線、１７は回転ハブ１０に固定子鉄心１５に対抗して取り付けた永久磁石である。そして、１９はスイングアーム８の回転軸、２０はボイスコイルモーター７のコイル、２１は上側磁石、２２は下側磁石、２３は信号処理回路を実装した回路基板、２４はシュラウド１と回路基板２３を一体化し他機器へ固定するためのフレームである。
【００２５】
そして、この実施形態の磁気ディスク装置において、磁気ディスク３間に挿入するスペーサー９は、図２に示すように、フェライト系ステンレス鋼の圧延板材Ｄを打ち抜き加工によりリング状に加工して制作したものである。
【００２６】
フェライト系ステンレス鋼の圧延板材Ｄは、表面硬度のバラツキが平均値を中心として上下４％以内で小さく、結晶粒度が、ＪＩＳ規格のＧ０５５１に規定された結晶粒度番号（１ｍｍ2当たりの平均結晶粒数ｍを用いてｍ＝８×２Gの式で計算されるＧの値）の５．０〜９．０に相当する微細なもので、残留圧縮応力が８０ＭＰａ以下と小さくなるよう熱処理が施されたものであり、打ち抜き加工後もその精度は維持され、製作されたスペーサー９は、表面硬度のバラツキが小さく、結晶粒度や残留歪みのバラツキも小さいものとなる。
【００２７】
この実施形態の磁気ディスク装置は、スペーサー９の表面硬度のバラツキが非常に小さいことにより、また、結晶粒度が非常に小さいことにより、また、残留応力が非常に小さいことにより、また、それらの相乗作用によって、複数枚の磁気ディスク３とスペーサー９をスピンドルモーター２の回転ハブ１０に装着しクランパー１１をネジ１２で締結したときのスペーサー９の歪みが小さくなり、その結果、磁気ディスク３の歪、うねり等の変形を十分に防止することができ、磁気ディスク装置の小型薄型・大容量化が加速し、磁気ディスク３面上のデータ領域の拡大や記録密度の増加が進んでも、磁気ディスク装置の動作中に磁気ディスク３内周部で磁気ヘッド４の浮上を変動のない安定した状態に保持することができて、磁気ヘッド出力の均一化による位置決め精度の向上、データの書き込み、読み取り精度の向上、磁気ディスク装置の信頼性の向上を図ることができる。また、圧延板材Ｄを打ち抜き加工して製作するので、精度が向上する上にコストが非常に有利であり、また、加工工程も短縮されるため生産性も向上する。そして、特に、フェライト結晶粒度が微細であるため、熱の発生が少なく、残留磁気が少なく磁気抵抗が少なくて、熱を保ちにくく、そのため、歪が少なくて、高速化（ディスクの回転速度アップ）しても熱により精度が落ちることはなく、熱による故障も大きく減少する。また、特に、残留応力が非常に小さくて、歪が少ないため、位置決め精度、データの書き込み精度、データの読み取り精度が向上し、故障率も減少し、回転数も上げることが可能である。また、加工工程も短縮されるため生産性も１．５〜２倍に向上する。
【００２８】
なお、この実施形態では、磁気ディスク３とスペーサー９を押圧保持するようクランパー１１を回転ハブ１０にネジ１２で取り付けているが、クランパー１１を取り付ける構造はこれに限定されるものではなく、他の、例えば、回転ハブ１０の最上部のクランパー１１を装着する円筒状突出部の周面に突起部を設けて、磁気ディスク３並びにスペーサー９を装着する円筒部の上端と突起部との間にクランパーの内径部を圧入するなど、ネジ１２を使用しない構造のものであってもよい。
【実施例】
【００２９】
フェライト系ステンレス鋼（４３０）の圧延板材を打ち抜き加工してリング状にして、外径２３．８ｍｍ、内径２０．０ｍｍ、厚み１．６８５ｍｍのスペーサーを、実施例１、実施例２、実施例３として３種類作製し、また、フェライト系ステンレス鋼（４３０）を冷間引き抜き加工して製造した棒鋼（丸棒）に切削加工で中穴を空けてパイプ状にし、それを輪切りして製作した同寸（外径２３．８ｍｍ、内径２０．０ｍｍ、厚み１．６８５ｍｍ）のスペーサーを、従来例１、従来例２、従来例３として３種類作成した。
【００３０】
実施例１と実施例２と実施例３は、結晶粒度が異なるように精錬、製鋼工程の処理条件を変えて製作したものであり、従来例１、従来例２、従来例３もまた、結晶粒度が異なるように精錬、製鋼工程の処理条件を変えて製作したものである。
【００３１】
そして、これら実施例１〜３と従来例１〜３の表面硬度（ＨＲＶ）を測定した。この測定にはミツトヨＨＭ２１１を用い、荷重１００ｇで、測定箇所は、図３に示す周方向４箇所の各径方向６箇所（０．５ｍｍピッチ）である。表１に実施例１と従来例２の測定結果を示す。
【００３２】
【表１】
0005486039.tif 000002
【００３３】
表１から解るように、実施例１では表面硬度は平均値を中心にして上下３．７％以内で、硬度のバラツキが非常に小さく安定しているが、従来例１では上下７％以上で、外周は硬度が高いが内周に来るに従って顕著に低くなっている。ここでは実施例と従来例を一例ずつ示したが、他の例の場合でも同様な結果であった。
【００３４】
また、上記実施例１〜３と従来例１〜３の結晶粒度（フェライト結晶粒度）を測定した。この結晶粒度の測定は、ＪＩＳ  Ｇ０５５１に規定された測定方法によるもので、結晶粒度番号すなわち１ｍｍ2当たりの平均結晶粒数ｍを用いてｍ＝８×２Gの式で計算されるＧの値で評価した。その結果は表２に示すとおりであった。
【００３５】
【表２】
0005486039.tif 000003
【００３６】
表２から解るように、実施例１〜３の結晶粒度は従来例１〜３に対して各段に微細である。
【００３７】
また、上記実施例１〜３と従来例１〜３の残留応力を測定した。この測定には、ＰＡＮａｌｙｔｉｃａｌ製のＸ´ＰＥＲＴ  ＰＲＯ  ＭＰＤを用い、ヤング率：２１１．１６０Ｇｐａ、ポアソン比：０．２８８２０  でＸ線回折測定した。その結果は表３に示すとおりであった。
【００３８】
【表３】
0005486039.tif 000004
【００３９】
表３から解るように、実施例１〜３の結晶粒度は従来例１〜３に対して各段に小さい。
【００４０】
残留応力とは、金属の組成変形の結果として、内部に生じた応力のことである。冷間加工や熱処理などによる急激な変化、不均一な変化により起こるものである。圧縮応力と引張応力があり、圧縮応力はマイナスで、引張応力はプラスで表示する。一度発生しても、その後の熱処理などにより除去することもできる。
【００４１】
これら実施例１〜３のスペーサー、従来例１〜３のスペーサーを用いてそれぞれ磁気ディスク装置（図１に示すもの）を組み立て、稼動テストを行った。その際、効果を確認しやすくするため、磁気ディスクの回転速度を従来よりも速くして（１５％回転数を上げて）動作確認を行った。その結果、実施例１のスペーサーを用いて磁気ディスク装置では、従来例１のスペーサーを用いて磁気ディスク装置に対して、位置決め精度、データの書き込み精度、データの読み取り精度が向上したことが確認できた。具体的には、位置決め精度、データの書き込み精度、データの読み取り精度がそれぞれ約５％程度向上した。また、磁気ディスク及び磁気ヘッドのコンタクト等の故障も約大きく減少した。硬度のバラツキが非常に小さくて安定していることが、この効果に大きく寄与していると考えられる。また、実施例１〜３のものは、フェライト結晶粒度が微細であることが、熱の発生が非常に少なく、回転速度を１．５倍にしても精度が落ちることはなく、熱による故障も大きく減少する要因であると考えられる。結晶粒度が小さいと、残留磁気が少なく磁気抵抗が少ないため、熱を保ちにくい。また、実施例１〜３のものは、残留応力が小さいことが、位置決め精度、データの書き込み精度、データの読み取り精度の向上に寄与しており、故障率の減少（２割減少）、許容回転数の上昇（１割以上）を可能にしていると考えられる。
【符号の説明】
【００４２】
２  スピンドルモーター
３  磁気ディスク
９  スペーサー
１０  回転ハブ
１１  クランパー
Ｄ  圧延板材
【図１】
0005486039.tif 000005
【図２】
0005486039.tif 000006
【図３】
0005486039.tif 000007
【図４】
0005486039.tif 000008
【図５】
0005486039.tif 000009